(57)【要約】【課題】開口を有する容器について、当該開口の封止と当該容器内の減圧とを併せて行い得るとともに、当該開口の封止後に一定の減圧状態を維持し得る容器内減圧装置を提供する。【解決手段】開口を有する容器に取り付けられる容器内減圧装置１において、前記開口を封止する蓋体部１１と、前記容器内からの吸気を行う減圧機構部１４と、前記減圧機構部１４による吸気経路に配される逆止弁１５と、前記容器内の圧力を検知する圧力検知部１６と、前記減圧機構部１４への駆動電源電圧の供給切り換えを行う電源スイッチ１７とを設ける。そして、前記電源スイッチ１７の切り換え状態が前記駆動電源電圧の供給有状態であり、かつ、前記容器内が前記所定圧以上であることを前記圧力検知部１６が検知した場合に、前記減圧機構部１４が当該容器内からの吸気を行うように構成する。【選択図】図３
0003129087.tif 000002
【実用新案登録請求の範囲】
【請求項１】
開口を有する容器に取り付けられて用いられる容器内減圧装置であって、
前記容器における前記開口の形成部分と係合して当該開口を封止する蓋体部と、
前記蓋体部によって前記開口が封止された前記容器内からの吸気を行う減圧機構部と、
前記減圧機構部による吸気経路における空気の逆流を防止する逆止弁と、
前記蓋体部によって前記開口が封止された前記容器内の圧力を検知する圧力検知部と、
前記減圧機構部への駆動電源電圧の供給有無の切り換えを行う電源スイッチとを備え、
前記減圧機構部は、前記電源スイッチの切り換え状態が前記駆動電源電圧の供給無状態であるか、または前記容器内が所定圧よりも低圧であることを前記圧力検知部が検知した場合には、当該容器内からの吸気を行わず、前記電源スイッチの切り換え状態が前記駆動電源電圧の供給有状態であり、かつ、前記容器内が前記所定圧以上である場合に、当該容器内からの吸気を行うように構成されている
ことを特徴とする容器内減圧装置。
【請求項２】
前記電源スイッチは、前記蓋体部が前記開口を封止すると、前記減圧機構部への駆動電源電圧の供給無から供給有に切り換わるように構成されていることを特徴とする請求項１記載の容器内減圧装置。
【請求項３】
前記蓋体部と一体に連設されたハウジング部と、
前記蓋体部および前記ハウジング部によって形成される空間を覆う天蓋部と、
前記減圧機構部への駆動電源電圧の供給を行う電源電池とを備え、
前記蓋体部および前記ハウジング部によって形成される空間内に、少なくとも前記減圧機構部、前記圧力検知部および前記電源電池を収容するとともに、当該空間を覆う前記天蓋部が着脱可能に構成されている
ことを特徴とする請求項１または２記載の容器内減圧装置。
【請求項４】
前記蓋体部が前記開口の形成部分とネジ構造によって係合するとともに、当該ネジ構造の逆ネジ構造によって前記天蓋部が前記ハウジング部と着脱可能に係合するように構成されていることを特徴とする請求項３記載の容器内減圧装置。
【請求項５】
前記圧力検知部による検知結果についての表示出力を行うインジケータ部を備えることを特徴とする請求項１〜４のいずれか１項に記載の容器内減圧装置。
【考案の詳細な説明】
【技術分野】
【０００１】
本考案は、開口を有する容器に取り付けられて用いられる容器内減圧装置に関する。
【背景技術】
【０００２】
一般に、食品類は、開口を有する容器に収納され、その容器の開口を蓋体により封止するした状態で、その保存や流通等がされることが多い。ただし、食品類の中には、変質し易いという特色を有したものが存在する。このことから、食品類を収納する容器については、例えば特開平０６−００００５８号公報または特開２００１−０４６２５２号公報に開示されているように、その容器内を減圧状態にすることで、当該食品類を変質させることなく長期間安定に保存可能にすることが提案されている。
【考案の開示】
【考案が解決しようとする課題】
【０００３】
しかしながら、従来における食品類の減圧容器では、容器内の減圧が必要になった時点で、当該容器を減圧ポンプに接続する等の処理または操作を要するため、食品類の保存に用いる場合には適していても、食品類の流通や容器開封後の再保存等に用いる場合は必ずしも好適であるとは言えない。
例えば、焙煎コーヒー豆は、焙煎後に大量の炭酸ガスを放出するため、一定期間（例えば２〜３日間）のガス抜きの後、減圧状態の容器（例えば、アルミ箔が積層されてなる容器）内に収納した状態で流通される。つまり、流通過程の前に当該流通過程とは別の一定期間が必要となってしまうので、迅速な流通により鮮度の高い食品類をユーザに提供するという観点からは好ましくない。
また、流通過程を経てユーザが一旦容器を開封した後においては、当該ユーザがその容器内の減圧を必ずしも適切に行い得るとは限らない。つまり、容器開封後の再保存については、容器内の適切な減圧を行えずに収納している食品類を変質させてしまう、といったことが生じるおそれがある。
【課題を解決するための手段】
【０００４】
本考案は、上述した点を鑑みて案出された容器内減圧装置である。すなわち、開口を有する容器に取り付けられて用いられる容器内減圧装置であって、前記容器における前記開口の形成部分と係合して当該開口を封止する蓋体部と、前記蓋体部によって前記開口が封止された前記容器内からの吸気を行う減圧機構部と、前記減圧機構部による吸気経路における空気の逆流を防止する逆止弁と、前記蓋体部によって前記開口が封止された前記容器内の圧力を検知する圧力検知部と、前記減圧機構部への駆動電源電圧の供給有無の切り換えを行う電源スイッチとを備え、前記減圧機構部が、前記電源スイッチの切り換え状態が前記駆動電源電圧の供給無状態であるか、または前記容器内が所定圧よりも低圧であることを前記圧力検知部が検知した場合には、当該容器内からの吸気を行わず、前記電源スイッチの切り換え状態が前記駆動電源電圧の供給有状態であり、かつ、前記容器内が前記所定圧以上である場合に、当該容器内からの吸気を行うように構成されていることを特徴とする。
上記構成の容器内減圧装置は、開口を有する容器に取り付けられると、蓋体部が当該開口を封止する。そして、電源スイッチの切り換え状態が駆動電源電圧の供給有状態であり、かつ、容器内が所定圧以上であることを前記圧力検知部が検知すると、減圧機構部が当該容器内からの吸気を行う。これにより、容器内は、減圧された状態となる。その後、例えば容器内が所定圧よりも低圧になると、減圧機構部が当該容器内からの吸気を終了するが、再び、駆動電源電圧の供給有状態で、かつ、容器内が所定圧以上の状態になると、減圧機構部が当該容器内からの吸気を行う。したがって、容器内では、一定の減圧状態が維持されることになる。
【０００５】
前記電源スイッチは、前記蓋体部が前記開口を封止すると、前記減圧機構部への駆動電源電圧の供給無から供給有に切り換わるように構成されていることを特徴とするものであってもよい。
このような構成によれば、蓋体部が開口を封止すると自動的に電源スイッチが切り換わるので、当該電源スイッチの人手による操作を要することなく、容器内が一定の減圧状態に維持されることになる。
【０００６】
また、前記容器内減圧装置は、前記蓋体部と一体に連設されたハウジング部と、前記蓋体部および前記ハウジング部によって形成される空間を覆う天蓋部と、前記減圧機構部への駆動電源電圧の供給を行う電源電池とを備え、前記蓋体部および前記ハウジング部によって形成される空間内に、少なくとも前記減圧機構部、前記圧力検知部および前記電源電池を収容するとともに、当該空間を覆う前記天蓋部が着脱可能に構成されていることを特徴とするものであってもよい。
このような構成によれば、容器内減圧装置の内部、すなわち蓋体部およびハウジング部によって形成される空間内に、減圧機構部、圧力検知部、電源電池等が収容されるので、装置のコンパクト化が実現容易となる。また、減圧機構部への駆動電源電圧の供給を行うのが電源電池であるため、外部電源との接続等を要することなく動作可能となる。しかも、その場合であっても、天蓋部が着脱可能なので、電源電池の交換等にも容易に対応し得る。
【０００７】
また、前記容器内減圧装置は、前記蓋体部が前記開口の形成部分とネジ構造によって係合するとともに、当該ネジ構造の逆ネジ構造によって前記天蓋部が前記ハウジング部と着脱可能に係合するように構成されていることを特徴とするものであってもよい。
このような構成によれば、開口の封止と天蓋部の取り外しとがそれぞれ同一方向の動作によって行われることになる。したがって、装置のコンパクト化の実現によって、それぞれが互いに近傍に配される場合であっても、誤操作等の発生を抑制し得るようになる。
【０００８】
さらに、前記容器内減圧装置は、前記圧力検知部による検知結果についての表示出力を行うインジケータ部を備えることを特徴とするものであってもよい。
このような構成によれば、インジケータ部の表示出力を参照することで、装置利用者（容器収納物のユーザ）が容器内の減圧状態を把握認識し得るようになるので、当該装置利用者にとって利便性が優れたものとなる。
【考案の効果】
【０００９】
本考案に係る容器内減圧装置を用いれば、開口を有する容器に取り付けられた状態で、減圧機構部が当該容器内からの吸気を行い、これにより当該容器内が減圧された状態となる。そして、単に容器内を減圧するだけでなく、当該容器内の圧力の検知結果を基に減圧機構部の動作を制御して、当該容器内を一定の減圧状態に維持するようになっている。したがって、例えば収納物が焙煎コーヒー豆のように大量の炭酸ガスを放出するものであっても、その炭酸ガスを容器外に排出しながら当該容器の輸送流通を行うことができ、迅速な流通により鮮度の高い収納物をユーザに提供するといったことが実現可能となる。さらには、一旦容器を開封した後であっても、その容器に本考案の容器内減圧装置を取り付けて封止すれば、当該容器内減圧装置が容器内の減圧を行うので、容器開封後の再保存を行う場合でも容器内の適切な減圧を行うことができ、再保存ゆえに容器内の収納物を変質させてしまうといったことを回避し得る。つまり、本考案の容器内減圧装置を用いれば、例えば変質し易いという特色を有した食品類を収納する場合であっても、その保存を好適に行えることに加え、その流通や容器開封後の再保存等についても良好に行うことが可能である。
【考案を実施するための最良の形態】
【００１０】
以下、図面に基づき本考案に係る容器内減圧装置について説明する。
【００１１】
図１は、本考案に係る容器内減圧装置の利用形態の一例を示す外観斜視図である。図例のように、本考案に係る容器内減圧装置１は、開口２ａを有する容器２に取り付けられて用いられるものである。
【００１２】
容器内減圧装置１が取り付けられる容器２は、例えば金属材、ガラス材または樹脂材等からなる有底無蓋筒状に形成されたもので、食品類等のように変質し易いという特色を有したものが開口２ａから出し入れ可能な状態で収納されるように構成されている。具体的には、焙煎後に大量の炭酸ガスを放出する焙煎コーヒー豆を収納したり、果物や野菜等の生鮮食料品を収納することが考えられる。ただし、収納物は、特に限定されることはない。すなわち、容器２は、食品類以外のものを収納するためのものであっても構わない。また、容器２の形状についても、収納物の収納や当該収納後の持ち運び等に適した形状であれば、特に限定されるものではない。
【００１３】
このような容器２に取り付けられる容器内減圧装置１は、容器２における開口２ａの形成部分（いわゆる首の部分）２ｂと係合して当該開口２ａを封止する蓋体として機能する。さらには、容器２の開口２ａを封止するだけでなく、その容器２内を減圧状態にするための減圧装置としても機能する。そのために、容器内減圧装置１は、以下に述べるように構成されている。
【００１４】
図２は、本考案に係る容器内減圧装置の概略構成の一例を示す側断面図である。図例のように、容器内減圧装置１は、容器２の開口２ａを封止する蓋体として機能するために、蓋体部１１を備えているとともに、その蓋体部１１に加えてハウジング部１２および天蓋部１３を備えることで、その外形が構成されている。なお、蓋体部１１、ハウジング部１２および天蓋部１３は、公知の成型技術を用いて樹脂材により形成することが考えられるが、他の部材（例えば金属材）によって形成したものであっても構わない。
【００１５】
蓋体部１１は、開口２ａを封止する板状の封止板部１１ａと、当該開口２ａの形成部分２ｂと嵌合し得る形状に形成された係合部１１ｂとから構成される。
封止板部１１ａの容器２側の面における開口２ａの形成部分２ｂとの当接箇所には、開口２ａを封止する際の密封性を向上させるために、弾性材からなるパッキン１１ｃが貼付されていることが望ましい。また、容器２内への収納物が食品類である場合には、封止板部１１ａの容器２側の面におけるパッキン１１ｃの貼付箇所以外に部分に、衛生面を考慮した不織布１１ｄが貼付されていることが望ましい。
係合部１１ｂには、開口２ａの形成部分２ｂと係合するための構造が設けられている。当該構造としては、例えば雄ネジと雌ネジとが互いに螺合するネジ構造が挙げられる。ただし、ネジ構造に限定されることはなく、例えば広く一般に流通している粉末コーヒー食品収納瓶や歯磨き材入りチューブ等に用いられる蓋体のように、いわゆるワンタッチでの着脱を可能にするラッチ構造であっても構わない。
【００１６】
ハウジング部１２は、蓋体部１１と一体に連設された筒状のものである。このハウジング部１２によって、蓋体部１１における封止板部１１ａ上（容器２とは反対側の面）には、ハウジング部１２の形成高さによって容量が決まる空間が形成されることになる。
【００１７】
天蓋部１３は、蓋体部１１およびハウジング部１２によって形成される空間を覆うものである。なお、天蓋部１３は、蓋体部１１およびハウジング部１２に対して、着脱可能に構成されていることが望ましい。例えば、蓋体部１１が開口２ａの形成部分２ｂとネジ構造によって係合する場合であれば、当該ネジ構造の逆ネジ構造によって、天蓋部１３がハウジング部１２と着脱可能に係合するように構成することが考えられる。ただし、必ずしも逆ネジ構造に限定されることはなく、例えば一般的な締結具であるボルトやピン等を利用して、天蓋部１３をハウジング部１２に着脱可能に取り付けることも考えられる。
【００１８】
図３は、本考案に係る容器内減圧装置の内部構造の構成例を示す模式図である。図例のように、蓋体部１１およびハウジング部１２によって形成され、天蓋部１３によって覆われる空間内には、減圧機構部１４と、逆止弁１５と、圧力検知部１６と、電源スイッチ１７と、電源電池１８と、図示せぬインジケータ部と、が配設されている。
【００１９】
減圧機構部１４は、蓋体部１１によって開口２ａが封止された容器２内からの吸気を行うものである。そのために、減圧機構部１４は、樹脂材やゴム材等の弾性材からなり振動によって負圧状態を作り出してポンプとしての機能を実現するダイヤフラム１４ａと、そのダイヤフラム１４ａを振動させる駆動源となるモータ１４ｂと、蓋体部１１を貫通して容器２内に連通するように配された吸引パイプ１４ｃと、容器２内から吸引した気体を装置外へ排出するための排気孔１４ｄと、を備えて構成されている。ただし、必ずしもこのような構成に限定されることはなく、容器２内からの吸気を行い得るものであれば、他の公知技術（ポンプ技術）を用いて構成されたものであっても構わない。
【００２０】
逆止弁１５は、減圧機構部１４による吸気経路における空気の逆流を防止するものである。具体的には、減圧機構部１４におけるダイヤフラム１４ａを用い、そのダイヤフラム１４ａによる吸気経路の密閉状態を利用して、空気の逆流を防止することが考えられる。ただし、ダイヤフラム１４ａを利用するのではなく、公知の弁構造による逆止弁１５をダイヤフラム１４ａとは別に設けても構わない。その場合に、逆止弁１５は、減圧機構部１４による吸気経路上のいずれかの箇所に配置されていばよく、その配置箇所が特に限定されるものではない。
【００２１】
圧力検知部１６は、蓋体部１１によって開口２ａが封止された容器２内の圧力を検知するものである。そのために、圧力検知部１６は、圧力を検知する圧力センサ１６ａと、蓋体部１１を貫通して容器２内に連通するように配された圧力用吸入パイプ１６ｂと、を備えて構成されている。圧力センサ１６ａとしては、例えば、所定圧（設定圧）よりも低圧であることを検知すると非導通状態となり、当該所定圧以上であることを検知すると導通状態となるように構成されたものを用いることが考えられる。なお、圧力センサ１６ａによる圧力検知の手法等については、公知技術を利用すればよいため、ここではその説明を省略する。
【００２２】
電源スイッチ１７は、減圧機構部１４への駆動電源電圧の供給有無の切り換えを行うものである。ここでいう駆動電源電圧は、具体的には減圧機構部１４のモータ１４ｂが動作するために必要な電圧が相当する。
電源スイッチ１７としては、広く一般に知られているボタンスイッチやトグルスイッチ等を用いることが考えられる。その場合には、例えば装置利用者（容器収納物のユーザ等）が操作し得るようにすべく、天蓋部１３またはハウジング部１２から装置外へ向けて、操作ボタンや操作トグル等が突出するように、当該電源スイッチ１７が配設されるものとする。
ただし、電源スイッチ１７は、装置利用者によるスイッチ操作を不要にすべく、蓋体部１１が開口２ａを封止すると、これに応じて、駆動電源電圧の供給無から供給有に自動的に切り換わるように構成されたものを用いることが望ましい。このような自動的な切り換えを実現する電源スイッチ１７としては、例えば容器２における開口２ａの形成部分２ｂとの当接有無によって断続が切り換わるマイクロスイッチを用いることが考えられる。
【００２３】
電源電池１８は、減圧機構部１４へ供給する駆動電源電圧の供給源となるものである。そのために、この電源電池１８と減圧機構部１４のモータ１４ｂおよび圧力検知部１６との間、並びに、モータ１４ｂおよび圧力検知部１６と電源スイッチ１７との間には、これらを電気的に接続する電源ケーブル１８ａが配されている。
電源電池１８としては、例えばＤＣ１２Ｖを供給するバッテリを用いることが考えられる。その場合に、バッテリは、充電可能な二次電池（蓄電池）であっても、あるいは充電未対応の一次電池（乾電池）であってもよい。一次電池の場合は、電源電池１８の固定を行う電池押さえ１８ｂが、当該電源電池１８の交換に容易に対応し得るように構成されているものとする。
なお、電源電池１８は、必須の構成ではない。例えば、装置外からの電源供給を受ける場合であれば、電源電池１８に代わって、電源ケーブルを接続するための電源コネクタを配設することが考えられる。このように、電源コネクタを用いて装置外からの電源供給を受ける場合には、ＤＣアダプタを介することで、ＡＣ電源からの電源供給にも容易に対応し得るようになる。
これに対して、駆動電源電圧の供給源として、電源電池１８を用いた場合には、電源ケーブル等による外部との接続が不要である。したがって、上述したように電源電池１８は必須の構成ではないが、容器内減圧装置１を容器２に取り付けた状態での取り扱い（輸送等）を考慮すると、駆動電源電圧の供給源としては、電源電池１８を用いることが望ましい。
【００２４】
インジケータ部は、圧力検知部１６による検知結果についての表示出力を行うものである。具体的には、例えば圧力検知部１６の圧力センサ１６ａが導通状態であるか否かに応じて点灯または消灯するＬＥＤ（Light Emitting Diode）を用い、当該ＬＥＤを装置外から視認可能となるように配置して構成することが考えられる。また、圧力センサ１６ａの状態だけではなく、電源スイッチ１７の断続状態によっても、点灯または消灯するものであってもよい。なお、このインジケータ部についても必須の構成ではないが、圧力検知結果や装置動作状態を装置利用者に通知するという観点からは、当該インジケータ部を備えていることが望ましい。
【００２５】
続いて、以上のように構成された容器内減圧装置１における処理動作例を説明する。
【００２６】
上述した構成の容器内減圧装置１を用いる場合には、先ず、容器２内に収納物（例えば焙煎後の焙煎コーヒー豆）を収納する。そして、収納物を収納した容器２における開口２ａの形成部分２ｂに、容器内減圧装置１の蓋体部１１を係合させて、これにより当該開口２ａを封止する。ここまでは、人手作業（例えば収納物販売業者による手作業）または専用ロボット（例えば収納物の製造ラインにおけるハンドリングロボット）を用いた作業によって行う。
【００２７】
容器内減圧装置１の蓋体部１１が収納物を収納した容器２の開口２ａを封止すると、電源スイッチ１７が自動的切り換え型のものであれば、当該封止に応じて電源スイッチ１７がいわゆるオン状態に切り換わり、これにより電源電池１８からの駆動電源電圧が減圧機構部１４へ供給され得るようになる。なお、電源スイッチ１７が自動的切り換え型のものでない場合には、人手作業または専用ロボットを用いた作業により、電源スイッチ１７のオン状態への切り換えが行われるものとする。
【００２８】
このとき、容器２内は常圧（大気圧）なので、圧力検知部１６では、圧力センサ１６ａがそのこと、すなわち容器２の内圧が所定圧（設定圧）以上であることを検知して、導通状態となっている。したがって、電源スイッチ１７がオン状態に切り換わると、圧力センサ１６ａが導通状態にあるから、電源電池１８からの駆動電源電圧がそのまま減圧機構部１４へ供給されることになり、減圧機構部１４のモータ１４ｂが動作を開始する。つまり、モータ１４ｂの動作開始により、ダイヤフラム１４ａが振動（上下動）して、容器２内の空気を吸引パイプ１４ｃから吸引し、その吸引した空気を排気孔１４ｄから装置外へ排出するのである。これにより、容器内減圧装置１の蓋体部１１により開口２ａが封止されている状態の容器２内は、減圧機構部１４の吸気に伴って、徐々に減圧ざれることになる。
【００２９】
そして、容器２内の圧力が所定圧よりも低圧に達すると、そのことが圧力検知部１６によって検知される。すなわち、圧力検知部１６の圧力センサ１６ａが、圧力用吸入パイプ１６ｂを通じて、容器２内が所定圧よりも低圧であることを検知して非導通状態となる。これにより、容器２内が所定圧よりも低圧に達すると、圧力センサ１６ａが非導通状態になるから、電源電池１８からの駆動電源電圧が減圧機構部１４へ供給されなくなり、その減圧機構部１４におけるモータ１４ｂが動作を停止する。つまり、容器２内からの吸気動作を停止するのである。
【００３０】
このように、減圧機構部１４は、電源スイッチ１７の切り換え状態が駆動電源電圧の供給有状態であり、かつ、容器２内が所定圧以上である場合に、当該容器２内からの吸気を行うが、容器２内が所定圧よりも低圧であることを圧力検知部１６が検知した場合には、当該容器２内からの吸気を行わないように構成されている。なお、何らかの理由（例えば容器内減圧装置１の容器２からの取り外し）で電源スイッチ１７の切り換え状態が駆動電源電圧の供給無状態に切り換えられた場合にも、減圧機構部１４は、容器２内からの吸気を行わないようにする。
【００３１】
容器２内が所定圧よりも低圧である状態で、その状態でモータ１４ｂが動作を停止すると、減圧機構部１４では、ダイヤフラム１４ａが当該減圧機構部１４における吸気経路を密閉して、逆止弁１５として機能することになる。そのため、容器２内では、減圧機構部１４による減圧状態、すなわち所定圧よりも低圧である状態が維持されることになる。
【００３２】
その後、例えばエアリークにより、容器２内の圧力が所定圧以上に上昇すると、圧力センサ１６ａがそのことを検知する。したがって、圧力センサ１６ａが導通状態となり、電源電池１８からの駆動電源電圧がそのまま減圧機構部１４へ供給されることになるので、減圧機構部１４は、再び、容器２内の減圧を開始する。
【００３３】
以上のような処理動作を行い、容器２の内圧の検知結果に応じて減圧の開始または停止を繰り返し行うことで、容器内減圧装置１は、開口２ａが封止されている容器２内について、一定の減圧状態（圧力値が一定範囲内に収まる減圧状態）を維持することができる。
【００３４】
したがって、容器内減圧装置１を用いれば、開口２ａを有する容器２に取り付けられた状態で、減圧機構部１４が当該容器２内からの吸気を行い、これにより当該容器２内を減圧状態にすることに加え、単に容器２内を減圧するだけでなく、当該容器２内の圧力検知結果を基に減圧機構部１４の動作を制御して、当該容器２内を一定の減圧状態に維持し得るので、例えば収納物が焙煎コーヒー豆のように大量の炭酸ガスを放出するものであっても、その炭酸ガスを容器２外に排出しながら当該容器２の輸送流通を行うことが可能となり、迅速な流通により鮮度の高い収納物をユーザに提供するといったことが実現可能となる。さらには、例えば一旦容器２を開封した後であっても、その容器２に容器内減圧装置１を取り付けて封止すれば、当該容器内減圧装置１が容器２内の減圧を行うので、容器開封後の再保存を行う場合でも容器２内の適切な減圧を行うことができ、再保存ゆえに容器２内の収納物を変質させてしまうといったことを回避し得る。
【００３５】
つまり、容器内減圧装置１を用いれば、例えば変質し易いという特色を有した食品類を容器２内に収納する場合であっても、その保存を好適に行えることに加え、その流通や容器開封後の再保存等についても良好に行うことが可能となるのである。
【００３６】
さらに、容器内減圧装置１は、以下に述べる点で、装置利用者にとっての利便性が非常に優れたものであると言える。
例えば、蓋体部１１が開口２ａを封止すると自動的に電源スイッチ１７が切り換わるように構成した場合には、当該電源スイッチ１７の人手による操作を要することなく、容器２内が一定の減圧状態に維持されることになるので、装置利用者にとっては利便性に優れたものとなる。
また、容器内減圧装置１では、蓋体部１１およびハウジング部１２によって形成される空間内に、容器２内を減圧状態にするための主要な構成要素、すなわち少なくとも減圧機構部１４、圧力検知部１６および電源電池１８を収容しているので、装置のコンパクト化が実現容易となり、容器２に取り付けた状態での輸送流通を行う際の取り扱いの容易さや利便性等を向上させることが可能となる。さらには、電源電池１８を用いることで、外部電源との接続等を要することなく動作可能となるが、その場合であっても天蓋部１３を着脱可能にすることで、電源電池１８の交換等にも容易に対応することができ、この点においても装置利用者にとっての利便性を向上させることが可能となる。しかも、天蓋部１３の取り外しを、例えば逆ネジ構造によって、開口２ａの封止と同一方向の動作によって行われるように構成すれば、装置のコンパクト化の実現によって、それぞれが互いに近傍に配される場合であっても、天蓋部１３の取り外そうとして誤って開口２ａを開封してしまうといった誤操作等の発生を抑制し得るので、この点においても装置利用者にとっての利便性を向上させることが可能となる。
さらに、容器２内を一定の減圧状態に維持するための基準となる圧力検知部１６での検知結果について、その表示出力を行うインジケータ部を設けた場合には、当該インジケータ部の表示出力を参照することで、装置利用者が容器２内の減圧状態や容器内減圧装置１の動作状態等を把握認識し得るようになるので、この点に依っても当該装置利用者にとって利便性が優れたものとなる。
【００３７】
なお、以上に説明した容器内減圧装置１は、本考案の好適な実施具体例の一つであるが、本考案はその内容に限定されるものではなく、その要旨を逸脱しない範囲で適宜変更することが可能である。例えば、上述した説明では、圧力センサ１６ａが導通状態／非導通状態となることで、減圧機構部１４における吸気動作の開始／停止が切り換わる場合を例に挙げたが、同様の機能を実現するものであれば、他の構成（例えば、マイクロコンピュータと呼ばれるＩＣチップを用いて動作制御を行う構成）を用いて動作制御を行うようにしても構わない。また、容器内減圧装置１は、容器２と合わせて容器内減圧システムを構成し、当該容器内減圧システムとして取り扱われるものであっても構わない。
【図面の簡単な説明】
【００３８】
【図１】本考案に係る容器内減圧装置の利用形態の一例を示す外観斜視図である。
【図２】本考案に係る容器内減圧装置の概略構成の一例を示す側断面図である。
【図３】本考案に係る容器内減圧装置の内部構造の構成例を示す模式図である。
【符号の説明】
【００３９】
１…容器内減圧装置、２…容器、２ａ…開口、２ｂ…形成部分、１１…蓋体部、１１ａ…封止板部、１１ｂ…係合部、１１ｃ…パッキン、１１ｄ…不織布、１２…ハウジング部、１３…天蓋部、１４…減圧機構部、１４ａ…ダイヤフラム、１４ｂ…モータ、１４ｃ…吸引パイプ、１４ｄ…排気孔、１５…逆止弁、１６…圧力検知部、１６ａ…圧力センサ、１６ｂ…圧力用吸入パイプ、１７…電源スイッチ、１８…電源電池、１８ａ…電源ケーブル、１８ｂ…電池押さえ
【図１】
0003129087.tif 000003
【図２】
0003129087.tif 000004
【図３】
0003129087.tif 000005